(57)【特許請求の範囲】
【請求項１】
着用者の排泄口と対向する排泄口当接域と、
前記排泄口当接域の後側に位置する後側域と、
前記排泄口当接域と前記後側域に配置される吸収コアと、を有する吸収性物品であって、
前記後側域には、前記排泄口当接域の前記吸収コアの外側縁よりも幅方向の外側に延出するヒップフラップが設けられており、
前記吸収コアは、前記排泄口当接域と前記後側域の間において前記吸収性物品の幅方向に延びる幅スリットを有し、
前記後側域の前記吸収コアは、第１領域、前記第１領域の幅方向の外側にそれぞれ位置する第２領域及び第３領域を有し、
前記後側域の前記吸収コアは、前記第１領域において前記吸収性物品の前後方向に延び、かつ前記吸収コアが厚み方向に曲がることができるように構成された曲部を有し、
前記曲部は、前記吸収性物品の前後方向に延びる前後スリットであり、
前記曲部の長さは、１５０ｍｍ以上である、吸収性物品。
【請求項２】
前記幅スリットと前記曲部は、連なっている、請求項１に記載の吸収性物品。
【請求項３】
前記吸収コアよりも非肌対向面側に位置する非肌面シートを備え、
前記非肌面シートの非肌対向面には、前記吸収性物品を下着に止めるための粘着剤が塗布された粘着領域が設けられており、
前記曲部は、厚み方向において前記粘着領域に重なっていない、請求項１又は請求項２に記載の吸収性物品。
【請求項４】
前記ヒップフラップには、前記粘着領域が設けられている、請求項３に記載の吸収性物品。
【請求項５】
前記吸収コアよりも肌対向面側に位置する肌面シートと、
前記吸収コアよりも非肌対向面側に位置する非肌面シートと、
厚み方向において前記幅スリットに重なる領域において、前記肌面シートと前記非肌面シートは、接合されていない、請求項１から請求項４のいずれかに記載の吸収性物品。
【請求項６】
前記幅スリットの外側縁は、前記吸収コアの外側縁よりも幅方向の内側に位置する、請求項１から請求項５のいずれかに記載の吸収性物品。
【請求項７】
前記幅スリットの外側縁は、前記吸収コアの外側縁に位置する、請求項１から請求項５のいずれかに記載の吸収性物品。
【請求項８】
前記排泄口当接域は、前記吸収コアの外側縁よりも前記幅方向の内側に位置する中高部を有し、
前記中高部の厚みは、前記排泄口当接域における前記吸収コアの外側縁の厚みよりも厚い、請求項１から請求項７のいずれかに記載の吸収性物品。
【請求項９】
着用者の排泄口と対向する排泄口当接域と、
前記排泄口当接域よりも後方に位置する後側域と、
前記排泄口当接域と前記後側域に跨って配置される吸収コアと、を有する吸収性物品であって、
前記後側域には、前記排泄口当接域の前記吸収コアの外側縁よりも幅方向の外側に延出するヒップフラップが設けられており、
前記吸収コアは、前記排泄口当接域の前記吸収コアの変形を前記後側域の前記吸収コアに伝播することを抑制する伝播抑制部を有し、
前記後側域の前記吸収コアは、第１領域、前記第１領域の幅方向の外側にそれぞれ位置する第２領域及び第３領域を有し、
前記後側域の前記吸収コアは、前記第１領域において前記吸収性物品の前後方向に延び、かつ前記吸収コアが厚み方向に曲がることができるように構成された曲部を有し、
前記曲部は、前記吸収性物品の前後方向に延びる前後スリットであり、
前記曲部の長さは、１５０ｍｍ以上である、吸収性物品。
【請求項１０】
前記曲部は、前記後側域の前記吸収コアの前記前後方向の全域に設けられている、請求項１から請求項９のいずれか１項に記載の吸収性物品。
【請求項１１】
前記幅スリットの前記幅方向の長さは、２５ｍｍ以上であり、
前記前後スリットの前記幅方向の長さは、１ｍｍ以上１５ｍｍ以下である、請求項１から請求項８のいずれか１項に記載の吸収性物品。
【発明の詳細な説明】
【技術分野】
【０００１】
本発明は、生理用ナプキン等の吸収性物品に関する。
【背景技術】
【０００２】
特許文献１には、排泄口当接域において肌当接面側に隆起する中高部と、中高部の幅方向の両外側において表面シートと吸収体が圧搾された防漏溝と、を有する吸収性物品が開示されている。吸収性物品の排泄口当接域は、下着の股下部に止着され、着用された状態で着用者の脚によって挟まれることによって幅方向の内側に向かう力が掛かる。特許文献１の吸収性物品の排泄口当接域は、幅方向の内側に向かう力が掛かると、防漏溝が着用者の股下域の肌対向面側へ折れ曲がり、これに伴って吸収体の中高部が隆起する（特許文献１の段落００１６参照）。
【先行技術文献】
【特許文献】
【０００３】
【特許文献１】特開２０１２−２３９７２２号公報
【発明の概要】
【発明が解決しようとする課題】
【０００４】
しかし、上述した吸収性物品には、以下の問題点がある。
吸収体は、排泄口当接域から後方に延びているため、排泄口当接域の吸収体が変形すると、排泄口当接域の後方に位置する吸収体に変形が伝播する。そのため、排泄口当接域の吸収体が肌対向面側に隆起すると、肌対向面側に隆起した変形が後方の吸収体に伝播する。また、排泄口当接域の吸収体が非肌対向面側に隆起すると、非肌対向面側に隆起した変形が後方の吸収体に伝播する。
【０００５】
着用者の陰裂(経血が出る膣口あたり)近辺の幅方向に沿った身体の断面形状は、大陰唇が大腿の付け根よりも出っ張っており、幅方向の中心が吸収体側に突出する凸形状である。そのため、排泄口当接域の吸収体が肌対向面側に隆起すると、大陰唇に沿って吸収体が配置されない。その結果、着用者の股下と吸収性物品との間に隙間が生じ、漏れが発生することがあった。
【０００６】
また、排泄口当接域の吸収体は、吸収体側に突出する凸形状の大陰唇によって非肌対向面側に押され、非肌対向面側に隆起することがある。排泄口当接域の吸収体が非肌対向面側に隆起すると、非肌対向面側に隆起した変形が後方の吸収体に伝播する。着用者の臀部近傍の幅方向に沿った身体の断面形状は、左右の臀部が膨らみ、この臀部間が窪んだ形状である。よって、吸収体が非肌対向面側に隆起すると、臀部に沿って吸収体が配置されない。その結果、着用者の臀部と吸収性物品との間に隙間が生じ、漏れが発生することがあった。
【０００７】
本発明は、上述の課題に鑑みてなされたものであり、着用者の股下と臀部に対して吸収コアをフィットさせ、漏れを抑制できる吸収性物品を提供することを目的とする。
【課題を解決するための手段】
【０００８】
上述した課題を解決するため、本開示に係る吸収性物品（吸収性物品１）は、着用者の排泄口と対向する排泄口当接域（排泄口当接域Ｓ１）と、前記排泄口当接域よりも後方に位置する後側域（後側域Ｓ２）と、前記排泄口当接域と前記後側域に配置される吸収コア（吸収コア３１）と、を有する吸収性物品であって、前記後側域には、前記排泄口当接域の前記吸収コアの外側縁（外側縁３１Ｅ）よりも幅方向の外側に延出するヒップフラップ（ヒップフラップ４）が設けられており、前記吸収コアは、前記排泄口当接域と前記後側域の間において前記吸収性物品の幅方向に延びる幅スリット（幅スリット４１）を有することを要旨とする。
【０００９】
また、本開示に係る吸収性物品（吸収性物品１）は、着用者の排泄口と対向する排泄口当接域（排泄口当接域Ｓ１）と、前記排泄口当接域よりも後側に位置する後側域（後側域Ｓ２）と、前記排泄口当接域と前記後側域に配置される吸収コア（吸収コア３１）と、を有する吸収性物品であって、前記後側域には、前記排泄口当接域の前記吸収コアの外側縁（外側縁３１Ｅ）よりも幅方向の外側に延出するヒップフラップ（ヒップフラップ４）が設けられており、前記吸収コアは、前記排泄口当接域の吸収コアの変形を前記後側域の吸収コアに伝播することを抑制する伝播抑制部（幅スリット４１）を有することを要旨とする。
【発明の効果】
【００１０】
本発明によれば、着用者の股下と臀部に対して吸収コアをフィットさせ、漏れを抑制できる吸収性物品を提供することができる。
【図面の簡単な説明】
【００１１】
【図１】実施形態に係る吸収性物品の平面図である。
【図２】図１に示す吸収性物品の背面図である。
【図３】図１に示すＡ−Ａ断面の模式断面図である。
【図４】図１に示す吸収性物品１の着用者に装着された状態の断面図である。
【発明を実施するための形態】
【００１２】
（１）吸収性物品の全体構成
図１乃至図３を参照して、実施形態に係る吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１３】
図１は、吸収性物品の平面図であり、図２は、吸収性物品の背面図である。図３は、図１に示すＡ−Ａ断面図である。本実施形態に係る吸収性物品１は、夜用の生理用ナプキンである。
【００１４】
吸収性物品１は、着用者の前側（腹側）及び後側（背側）に延びる前後方向Ｌと、前後方向Ｌと直交する幅方向Ｗと、着用者の肌対向面側Ｔ１及び非肌対向面側Ｔ２に延びる厚み方向Ｔと、を有する。
【００１５】
吸収性物品は、着用者の排泄口当接域に配置される排泄口当接域Ｓ１と、排泄口当接域Ｓ１の後側に位置する後側域Ｓ２と、排泄口当接域Ｓ１の前側に位置する前側域Ｓ３と、を有する。後側域Ｓ２の前後方向Ｌの長さは、排泄口当接域Ｓ１の前後方向Ｌの長さよりも長い。排泄口当接域Ｓ１は、下着に装着された状態で、下着の股下部に装着される領域である。排泄口当接域Ｓ１には、後述するウイングが配置される。排泄口当接域Ｓ１と後側域Ｓ２の境界は、後述する幅スリット４１である。幅スリット４１の前端縁は、排泄口当接域Ｓ１の後端縁であり、幅スリット４１の後端縁は、後側域Ｓ２の前端縁である。また、後側域Ｓ２の後端縁は、吸収性物品１の後端縁である。排泄口当接域Ｓ１と前側域Ｓ３の境界は、ウイング３の前端縁である。ウイング３の前端縁は、ウイング３の付け根であり、ウイング３において最も幅方向の内側に窪んだ部分のうち、前側に位置する部分である。ウイング３の前側の付け根は、排泄口当接域Ｓ１の前端縁であり、かつ前側域Ｓ３の後端縁である。また、前側域Ｓ３の前端縁は、吸収性物品１の前端縁である。図３において、排泄口当接域Ｓ１、後側域Ｓ２及び前側域Ｓ３の前後方向の範囲を示す。
【００１６】
吸収性物品１は、吸収体３０、吸収体３０よりも肌対向面側Ｔ１に位置する肌面シート１０、及び吸収体３０よりも非肌対向面側Ｔ２に位置する非肌面シート２０を備える。肌面シート１０は、吸収体３０の少なくとも幅方向中央を覆う液透過性の表面シート１１と、表面シート１１の外側縁（幅方向の外側端部）を覆い、幅方向の外側に延出するサイドシート１２と、を有する。非肌面シート２０は、液不透過性のシートである。
【００１７】
表面シート１１は、体液等の液体を透過する液透過性のシートである。表面シート１１は、少なくとも吸収体３０の表面を覆う。表面シート１１は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１８】
サイドシート１２は、表面シート１１と同様の材料から選ぶことができる。但し、サイドシート１２を乗り越えて吸収性物品１の外方へ経血が流れることを防止するためには、サイドシート１２は、疎水性又は撥水性を有することが好ましい。サイドシート１２は、吸収体３０の外側縁、ウイング３及びヒップフラップ４に配置されている。
【００１９】
非肌面シート２０は、肌面シート１０の長さと略同一の長さを有する。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２０】
吸収体３０は、吸収材料が積層された吸収コア３１と、吸収コア３１を覆うコアラップ３２と、を有する。吸収材料は、例えば、親水性繊維、パルプ、及びＳＡＰを例示できる。なお、本実施の形態の吸収体３０は、吸収コア３１の後端縁とコアラップ３２の後端縁が略一致している。
【００２１】
吸収コア３１は、排泄口当接域Ｓ１と後側域Ｓ２に配置される。なお、吸収コア３１は、排泄口当接域Ｓ１と後側域Ｓ２のそれぞれに分断された状態で配置されていてもよいし、排泄口当接域Ｓ１と後側域Ｓ２に跨って配置されていてもよい。また、吸収コア３１は、少なくとも排泄口当接域Ｓ１と後側域Ｓ２に配置されていればよく、排泄口当接域Ｓ１、後側域Ｓ２及び前側域Ｓ３に配置されていてもよい。
【００２２】
吸収コア３１は、吸収コア３１の外側縁３１Ｅよりも幅方向の内側に位置する中高部３３を有する。中高部３３は、排泄口当接域Ｓ１内に位置し、排泄口当接域Ｓ１の吸収コア３１の外側縁３１Ｅよりも幅方向の内側に位置する。中高部３３の厚さは、排泄口当接域Ｓ１における吸収コア３１の外側縁３１Ｅの厚さよりも厚い。中高部３３の吸収材料の目付は、排泄口当接域Ｓ１における吸収コア３１の外側縁３１Ｅの吸収材料の目付よりも高い。中高部３３は、排泄口当接域Ｓ１内の後側に位置し、幅スリット４１に隣接している。本実施の形態の中高部３３の外側縁には、吸収体３０と肌面シート１０が厚み方向に圧縮された圧搾部８０が設けられている。
【００２３】
吸収コア３１は、幅スリット４１、前後スリット４２、及び補助スリット４３を有する。吸収コア３１は、幅スリット４１、前後スリット４２、及び補助スリット４３は、吸収コア３１が厚み方向Ｔに曲がることができるように構成されている。
【００２４】
幅スリット４１、前後スリット４２及び補助スリット４３の吸収材料の目付は、周囲の吸収コア３１の吸収材料の目付よりも低い。周囲の吸収コア３１とは、幅スリット等に隣接する領域の吸収コアであり、例えば、排泄口当接域Ｓ１において幅スリット４１に隣接する吸収コア、及び後側域Ｓ２において幅スリット４１に隣接する吸収コアである。なお、幅スリット４１、前後スリット４２及び補助スリット４３は、吸収材料の目付が周囲の吸収コア３１よりも低い領域であればよく、目付が０の領域であってもよいし、設計上の目付が０であるが、周囲の吸収コア３１から混入した吸収材料が配置された領域であってもよい。
【００２５】
本実施の形態の幅スリット４１、前後スリット４２、及び補助スリット４３は、設計上の目付が０である。よって、厚み方向Ｔにおいて幅スリット４１に重なる領域、前後スリット４２に重なる領域、及び補助スリット４３に重なる領域において、肌面シート１０と非肌面シート２０の間には、吸収材料が配置されていない。また、厚み方向Ｔにおいて幅スリット４１に重なる領域、前後スリット４２に重なる領域、及び補助スリット４３に重なる領域において、肌面シート１０と非肌面シート２０とは接合されていない。
【００２６】
また、幅スリット４１に重なる領域、前後スリット４２に重なる領域、及び補助スリット４３に重なる領域において、吸収コア３１の肌対向面側に位置するコアラップ３２と吸収コア３１の非肌面側に位置するコアラップ３２とは、接合されていてもよいし、接合されていなくてもよい。例えば、吸収コア３１の肌対向面側に位置するコアラップ３２と吸収コア３１の非肌対向面側に位置するコアラップ３２とが接合されている構成によれば、吸収コア３１の型崩れを抑制できる。また、幅スリット４１に重なる領域、前後スリット４２に重なる領域、及び補助スリット４３に重なる領域において、表面シート１１とコアラップ３２とは、接合されていてもよいし、接合されていなくてもよい。加えて、幅スリット４１に重なる領域、前後スリット４２に重なる領域、及び補助スリット４３に重なる領域において、非肌面シート２０とコアラップ３２とは、接合されていてもよいし、接合されていなくてもよい。
【００２７】
幅スリット４１、前後スリット４２及び補助スリット４３は、剛性が変化する境界となる。具体的には、例えば、幅スリット４１よりも前側の領域の剛性と、幅スリット４１よりも後側の領域の剛性と、は、異なる。より詳細には、幅スリット４１よりも前側の領域の吸収材料の目付は、幅スリット４１の吸収材料の目付よりも高い。また、幅スリット４１よりも後側の領域の吸収材料の目付は、幅スリット４１の吸収材料の目付よりも高い。
【００２８】
幅スリット４１は、排泄口当接域Ｓ１と後側域Ｓ２の間において幅方向Ｗに延びる。幅スリット４１、少なくとも幅方向に延びていればよく、幅方向に平行な直線状であってもよいし、幅方向に平行でなく、幅方向に対して傾斜した直線状又は曲線状であってもよい。本実施の形態の幅スリットは、幅スリット４１の幅方向の中央が後方に突出した曲線形状である。より詳細には、幅スリット４１の幅方向の中心は、幅スリット４１の外側縁よりも後方に位置する。幅スリット４１の幅方向の中心は、後方に向かう凸状である。なお、幅スリットの前後方向における長さは、一定であってもよいし、変化していてもよい。また、幅スリットの前後方向の長さは、１０ｍｍ以上かつ５０ｍｍ以下であり、より好ましくは、幅スリットの前後方向の長さは、１０ｍｍ以上かつ３０ｍｍ以下である。
【００２９】
例えば、幅スリット４１の前後方向の長さが１０ｍｍ未満の場合には、幅スリット４１の前側の動きと幅スリット４１の後側の動きとを緩衝し、又は分断する作用を十分に得ることができないことがある。また、幅スリット４１の前後方向の長さが５０ｍｍを超える場合には、幅スリット４１の前側の動きと幅スリット４１の後側の動きとを緩衝し、又は分断する作用が大きくなる一方、吸収性物品としての安心感が低減することがある。
【００３０】
また、幅スリット４１の幅方向の長さは、２５ｍｍ以上であることが好ましい。一般的に、夜用の生理用ナプキンの中高部３３の幅方向の長さ（目付が比較的高い部分の幅方向の長さ）は、２５ｍｍ以上３０ｍｍ以下であることが多い。例えば、中高部３３が排泄口当接域Ｓ１と後側域Ｓ２に連続して形成されていると、当該中高部によって排泄口当接域Ｓ１の動きが後側域Ｓ２に連動することがある。しかし、幅スリット４１の幅方向の長さが２５ｍｍ以上であることにより、中高部３３を前後方向で分断し、排泄口当接域Ｓ１の動きが後側域Ｓ２に連動することを抑制できる。
【００３１】
幅スリット４１は、吸収コア３１の幅方向の全域に形成されていてもよいし、吸収コアの幅方向の一部の領域に形成されていてもよい。本実施の形態の幅スリット４１は、吸収コア３１の幅方向全域に形成されている。幅スリット４１の外側縁４１Ｅの外側縁４１Ｅは、吸収コア３１の外側縁３１Ｅに位置する。よって、排泄口当接域Ｓ１の吸収コア３１と後側域Ｓ２の吸収コア３１とは、幅スリット４１によって前後方向に分断されている。なお、本実施の形態の吸収体３０は、吸収コア３１の外側縁と吸収体３０の外側縁が略一致している。よって、図面上、幅スリット４１の外側縁４１Ｅは、吸収体３０の外側縁と一致するように示す。また、幅スリット４１は、排泄口当接域Ｓ１の吸収コア３１の変形を後側域Ｓ２の吸収コア３１に伝播することを抑制する伝播抑制部を構成する。
【００３２】
前後スリット４２は、後側域Ｓ２において前後方向Ｌに延びる。前後スリット４２、少なくとも前後方向に延びていればよく、前後方向に平行な直線状であってもよいし、前後方向に平行でなく、前後方向に対して傾斜した直線状又は曲線状であってもよい。前後スリット４２は、後側域Ｓ２の吸収コア３１の前後方向Ｌの全域に形成されていてもよいし、後側域Ｓ２の吸収コア３１の前後方向の一部の領域に形成されていてもよい。本実施の形態の前後スリット４２は、後側域Ｓ２の吸収コアの前後方向Ｌの全域に形成されている。よって、後側域Ｓ２の吸収コア３１は、前後スリット４２によって幅方向に分断されている。
【００３３】
また、前後スリット４２の前端縁は、ウイング３の前後方向の中心３ＬＣから３０ｍｍ後方の位置よりも後方に位置することが好ましい。また、前後スリット４２の後端縁は、ウイング３の前後方向の中心３ＬＣから２００ｍｍ後方の位置よりも後方に位置することが好ましい。前後スリット４２の前後方向の長さは、１５０ｍｍ以上であることが好ましい。着用者の身体の前後方向に沿った断面において、臀部間の溝は、会陰部を越えた辺りからはじまり、尾てい骨に至るまで存在する。このような前後スリット４２によれば、前後スリットを頂点とした凸状の変形が臀部間の溝に配置され易くなる。
【００３４】
また、前後スリット４２の幅方向の長さは、１ｍｍ以上かつ１５ｍｍ以下である。例えば、前後スリット４２の幅方向の長さが１ｍｍ未満の場合には、前後スリット４２を頂点として凸状に変形した際に、幅スリットを挟んで配置された吸収コア３１同士が干渉し、安定的に凸状に変形し難くなる。また、前後スリット４２の幅方向の長さが１５ｍｍを超える場合には、前後スリット４２を頂点とした凸状の変形部分が臀部間の隙間に配置された際に、凸状の変形部分に吸収コアが存在しないため、体液の吸収が疎かになってしまうことがある。
【００３５】
後側域Ｓ２の吸収コア３１は、第１領域３１１、第１領域３１１の幅方向の外側にそれぞれ位置する第２領域３１２及び第３領域３１３を有する。図１に、第１領域３１１、第２領域３１２及び第３領域３１３の幅方向の範囲を示す。第１領域３１１、第２領域３１２及び第３領域３１３は、後側域Ｓ２の吸収コア３１を幅方向において３等分した領域である。第１領域３１１は、３等分した領域のうち幅方向中央に位置する領域である。第２領域３１２は、３等分した領域のうち幅方向の一方の側部に位置する領域である。第３領域３１３は、３等分した領域のうち幅方向の他方の側部に位置する領域である。なお、後側域Ｓ２の吸収コアの幅方向の長さが変化する構成にあっては、幅スリット４１に隣接する吸収コア３１を幅方向において３等分した領域とする。
【００３６】
前後スリット４２は、第１領域３１１に設けられている。前後スリット４２は、吸収性物品１の幅方向Ｗの中心に配置されていてもよい。前後スリット４２は、吸収コアが厚み方向に曲がることができるように構成されており、曲部を構成する。なお、曲部は、前後スリットのみならず、他の構成によって構成されていてもよい。例えば、曲部は、少なくとも吸収コアを厚み方向に圧搾した圧搾部によって構成されていてもよいし、吸収コアの目付が周囲と異なることによって剛性が異なる領域によって構成されていてもよいし、凹部と凸部のかみ合わせによって成形されたエンボスによって構成されていてもよい。
【００３７】
幅スリット４１と曲部を構成する前後スリット４２とは、連なっている。よって、平面視にて、排泄口当接域Ｓ１の吸収コア３１と、後側域Ｓ２の幅方向Ｗの一方側の吸収コア３１（例えば、着用者の左側に位置する吸収コア）と、後側域Ｓ２の幅方向Ｗの他方側の吸収コア３１（例えば、着用者の右側に位置する吸収コア）とは、分断されている。なお、幅スリット４１と前後スリット４２とは、離間していてもよい。
【００３８】
補助スリット４３は、前後スリット４２に連なり、かつ前後スリット４２から幅方向Ｗの外側に延びる。補助スリット４３は、少なくとも幅方向に延びていればよく、幅方向に平行な直線状であってもよいし、幅方向に平行でなく、幅方向に対して傾斜した直線状又は曲線状であってもよい。補助スリット４３は、前後スリット４２の幅方向の両側にそれぞれ延びている。補助スリット４３は、前後方向Ｌに間隔を空けて複数設けられている。補助スリット４３は、後側域Ｓ２の吸収コア３１の外側縁３１Ｅよりも幅方向Ｗの内側に位置する。すなわち、補助スリット４３の幅方向の外側には、吸収材料が配置されている。なお、補助スリット４３は、後側域Ｓ２の吸収コア３１の外側縁３１Ｅまで延びていてもよい。補助スリット４３は、幅方向Ｗの内側から幅方向Ｗの外側に向かうにつれて前側に延びる。
【００３９】
吸収性物品１は、ウイング３と、ヒップフラップ４と、を有する。ウイング３及びヒップフラップ４は、排泄口当接域Ｓ１の吸収コア３１の外側縁３１Ｅよりも幅方向の外側に延出している。
【００４０】
ウイング３は、サイドシート１２と、非肌面シート２０と、を有する。ウイング３の前後方向の中心３ＬＣは、着用者の排泄口に対向して配置される。ウイング３は、非肌面シート２０側に折り返し可能に構成されており、使用時に下着のクロッチ部の非肌対向面側に折り返される。ヒップフラップ４は、ウイング３の後側に位置し、後側域Ｓ２に設けられている。ヒップフラップ４は、使用時に下着の非肌対向面側に折り返されずに下着の肌対向面側に配置されるように構成されている。なお、ウイング３及びヒップフラップ４には、吸収材料が配置されていてもよい。
【００４１】
図２に示すように、非肌面シート２０の非肌対向面には、吸収性物品を下着Ｓに止めるための粘着剤が塗布された粘着領域６０が設けられている。粘着領域６０は、吸収コア３１の非肌対向面側に配置された第１本体粘着領域６１及び第２本体粘着領域６２と、ウイング３に配置されたウイング粘着領域６３と、ヒップフラップ４に配置されたヒップフラップ粘着領域６４と、を有する。
【００４２】
第１本体粘着領域６１は、第２本体粘着領域６２と前後方向に離間しており、第２本体粘着領域６２よりも前方に配置されている。第１本体粘着領域６１は、幅スリット４１よりも前側において、排泄口当接域Ｓ１と前側域Ｓ３に跨って配置されている。第２本体粘着領域６２は、幅スリット４１よりも後側において、後側域Ｓ２に配置されている。
【００４３】
幅スリット４１及び前後スリット４２は、厚み方向Ｔにおいて粘着領域６０に重なっていない。換言すると、平面視にて幅スリット４１及び前後スリットが配置された領域には、粘着領域６０が設けられていない。また、ウイング３及びヒップフラップ４には、粘着領域６０が設けられている。
【００４４】
粘着領域６０は、使用前の状態において、剥離シート６５によって覆われている。剥離シート６５は、使用前に接着剤が劣化するのを防止している。剥離シート６５は、使用時に着用者によって剥離される。なお、剥離シートを有しない吸収性物品においては、吸収性物品を個別に包装する包装シートによって使用前に接着領域が劣化するのを防止するように構成されていてもよい。
【００４５】
本明細書における「吸収体の厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４６】
測定位置は、吸収体の幅方向中央部とする。測定する際は、吸収性物品が縮んだ状態ではなく、吸収性物品の伸縮性部材を伸張させた状態として測定する。また、吸収体以外の肌面シート及び非肌面シート等、吸収体以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００４７】
なお、本明細書における「吸収体の目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４８】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００４９】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００５０】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００５１】
（２）作用・効果
排泄口当接域Ｓ１と後側域Ｓ２の間に伝播抑制部を構成する幅スリット４１が設けられているため、幅スリット４１によって吸収コア３１の変形が吸収コア３１の前後方向全域に伝播することを抑制し、排泄口当接域Ｓ１の吸収コア３１と後側域Ｓ２の吸収コア３１とを異なる態様で変形させることができる。
【００５２】
図４は、吸収性物品１が着用者に装着された状態の断面図である。図４（ａ）は、排泄口当接域Ｓ１における幅方向に沿った断面図であり、図４（ｂ）は、後側域Ｓ２における幅方向に沿った断面図である。図４（ａ）は、図１のＢ−Ｂ断面を基準としており、図４（ｂ）は、図１のＣ−Ｃ断面を基準としている。図４において、着用者の身体を示すラインを二点鎖線で示す。生理用ナプキンとしての吸収性物品１を着用する際は、吸収性物品を下着Ｓに止着し、当該下着を引き上げて着用する。一般的な生理用ナプキンの吸収コアの幅方向の寸法は、着用者の股間の幅方向の寸法よりも広く設計されている。そのため、着用された状態の吸収性物品１の排泄口当接域Ｓ１は、装着者の両足によって挟まれ、幅方向の外側から幅方向の内側に向かう力を受ける。吸収性物品１は、一般的に、排泄口当接域Ｓ１において着用者の身体の形状に馴染む変形をし、当該変形を後方に伝播させる。
【００５３】
しかし、吸収コア３１の幅方向Ｗに沿った着用者の身体の断面形状は、股下近傍と臀部近傍とで異なる。具体的には、着用者の股下域の陰裂(経血が出る膣口あたり)近辺の幅方向に沿った身体の断面形状は、大陰唇が大腿の付け根よりも出っ張っており、吸収性物品側に突出する凸形状である。この着用者の股下域に、吸収性物品の排泄口当接域Ｓ１が対向して配置される。
【００５４】
また、着用者の大陰唇より後方に位置する会陰部よりも後方には、肛門や臀裂が位置する。この会陰部よりも後方近辺の幅方向に沿った身体の断面形状は、幅方向の中心が窪んだ形状である。この着用者の臀部に、吸収性物品の後側域Ｓ２が対向して配置される。
【００５５】
吸収性物品は、下着Ｓに装着され、かつ着用者に着用された状態で、排泄口当接域Ｓ１の吸収コアが大陰唇の出っ張りに押し下げられ、非肌対向面側に隆起するように変形する。着用者の股下においては、排泄口当接域Ｓ１の吸収コアが身体に沿って配置され、股下における漏れを抑制できる。
【００５６】
また、排泄口当接域Ｓ１の吸収コア３１の変形は、幅スリット４１に至るまでの領域で後方に伝播する。排泄口当接域Ｓ１の吸収コアの変形は、幅スリット４１によって分断され、後側域Ｓ２の吸収コア３１に伝播し難い。後側域Ｓ２の吸収コア３１は、左右の臀部によって吸収コアの側部（第２領域３１２及び第３領域３１３）及びヒップフラップ４が押し下げされる。後側域Ｓ２の吸収コア３１の幅方向の中央は、吸収コア３１の側部及びヒップフラップ４によって幅方向の内側に押され、着用者側に隆起し、左右の臀部間の隙間に配置される。よって、着用者の臀部においては、後側域Ｓ２の吸収コア３１が身体に沿って配置され、臀部における漏れを抑制できる。
【００５７】
加えて、着用者が歩行する際は、左右の足を交互に動かす。歩行動作のときの両足の動きは、右足が前のときは、左足が後ろに位置し、右足が後ろのときは、左足が前に位置する。吸収性物品の排泄口当接域Ｓ１の幅方向の中心（陰裂近辺の経血が排泄される部分）は、右足が前のとき、前方が左側に傾斜する方向となり、左足が前のとき、前方が右側に傾斜する方向となる。
【００５８】
このとき、後側域の前後方向の長さが比較的長い夜用の生理用ナプキンは、排泄口当接域Ｓ１で受けた左右の動きに伴って後側域Ｓ２が連動することとなり、脚を動きの動作 (例えば、歩行動作)の度に後側域Ｓ２も左右に大きくふれる。後側域Ｓ２が左右にふれることにより、着用者の臀部を安定して包むことができず、フィット性が安定しない。しかし、排泄口当接域Ｓ１の吸収コア３１の変形を幅スリット４１によって後側域Ｓ２の吸収コア３１に伝播し難くすることにより、後側域Ｓ２の吸収コアを安定して臀部にフィットさせ続けることができる。よって、後漏れを抑制できる。更に、後側域Ｓ２の吸収コアを安定して臀部にフィットさせ続けることにより、着用者の臀部と吸収性物品がこすれることを抑制し、皮膚のすれによる装着感の悪化を抑制できる。
【００５９】
後側域Ｓ２の吸収コア３１は、吸収コア３１が厚み方向Ｔに曲がることができるように構成された曲部を有していてもよい。後側域Ｓ２の吸収コア３１は、曲部を基点に変形し易くなる。当該曲部は、後側域Ｓ２の吸収コア３１の幅方向Ｗの中央に位置する第１領域３１１に設けられている。よって、後側域Ｓ２の吸収コア３１が幅方向Ｗ中央を基点に変形し易くなる。変形基点となる曲部が臀部間の窪みに配置され易く、より着用者の臀部に沿って吸収コア３１を配置できる。
【００６０】
幅スリット４１と曲部は、連なっていてもよい。幅スリット４１と曲部とによって、排泄口当接域Ｓ１の吸収コア３１、後側域Ｓ２の左側の吸収コア３１、及び後側域Ｓ２の右側の吸収コア３１がそれぞれ独立して変形し易くなる。よって、吸収コア３１は、より柔軟に変形し、身体の複雑な凹凸に沿って配置され易くなる。
【００６１】
曲部は、前後スリット４２によって構成されていてもよい。前後スリット４２を設けることにより、後側域Ｓ２の吸収コア３１を左右で別々に変形させ、また、後側域Ｓ２の吸収コア３１を左右で別々に身体の動きに追従させることができる。例えば、着用者が歩行する際は、左右の足を交互に動かす。この脚の動きに伴って臀部も左右交互に動く。例えば、後側域Ｓ２の吸収コア３１の幅方向全域が一体化して移動すると、脚の交互の動きによって後側域Ｓ２の吸収コア３１全体が左右に移動し、臀部におけるフィット感が安定しないことがある。
【００６２】
しかし、後側域Ｓ２の吸収コア３１が前後スリット４２によって左右に分断されていることにより、脚の交互の動きによって、前後スリット４２を挟んだ片方ずつの吸収コア３１が移動する。よって、前後スリット４２を挟んだ片方の吸収コア３１を身体の動きに追従して移動させ、他方の吸収コア３１を身体にフィットさせ続けることができる。
【００６３】
また、前後スリット４２が後側域Ｓ２の吸収コア３１の全域に設けられていることにより、後側域Ｓ２の吸収コア３１が前後スリット４２を基点に変形し易くなる。前後スリット４２が前後方向Ｌの全域に形成されているため、前後スリット４２の前後方向Ｌの外側に吸収コア３１が配置されない。よって、吸収性物品が前後スリット４２を基点に変形する際に、前後スリット４２の長手方向の外側に吸収コア３１からなる支点が形成されず、吸収性物品１の幅方向Ｗに沿った断面において、吸収性物品が前後スリット４２を基点に鋭角に折れ曲がることが可能となる。よって、臀部間の溝に沿って吸収性物品が配置され、より詳細には、臀部間の溝に肌面シートが配置され、臀部間の溝と吸収性物品との隙間を抑制できる。
【００６４】
曲部は、厚み方向Ｔにおいて粘着領域６０に重ならなくてもよい。曲部が厚み方向において粘着領域に重なっていないことにより、曲部の変形が下着によって過度に阻害されることを抑制し、曲部を基点に吸収コア３１が変形し易くなる。
【００６５】
また、幅スリット４１は、厚み方向Ｔにおいて粘着領域６０に重なってなくてもよい。幅スリット４１が厚み方向において粘着領域に重なっていないことにより、幅スリット４１の変形が下着によって過度に阻害されることを抑制し、幅スリット４１を基点に吸収コアが変形し易くなる。
【００６６】
ヒップフラップ４に粘着領域が設けられていてもよい。ヒップフラップ４は、下着の腰周りを覆う部分に止着される。この下着の腰周りを覆う部分は、着用者の身体の全周囲を覆うように装着される。ヒップフラップ４に粘着領域６０が設けられているため、下着が着用者の腰周りを覆う力によってヒップフラップ４をより身体にフィットさせることができる。
【００６７】
幅スリット４１に重なる領域において、表面シート１１と非肌面シート２０は、接合されていなくてもよい。幅スリット４１に重なる領域において表面シート１１と非肌面シート２０とが接合されていると、表面シート１１と非肌面シート２０によって吸収コア３１が挟まれ、幅スリット４１を基点とした吸収コア３１の変形が阻害されることがある。しかし、幅スリット４１に重なる領域において表面シート１１と非肌面シート２０とが接合されていないことにより、幅スリット４１を基点とした変形が、表面シート等によって過度に阻害されることを抑制し、幅スリット４１を基点に吸収コア３１が変形し易くなる。また、幅スリット４１が設けられた領域には、表面シート１１と非肌面シート２０とを接合する接着剤が配置されていないため、接着剤が付される構成よりも柔らかく、より柔軟に変形できる。
【００６８】
幅スリット４１の外側縁４１Ｅは、吸収コアの外側縁３１Ｅに位置していてもよい。吸収コアの幅方向全域に亘って幅スリットを基点に変形し易くなる。また、排泄口当接域の吸収コアと後側域の吸収コアとが完全に分断されるため、一方の変形態様が他方に伝播することを効果的に抑制できる。
【００６９】
また、吸収性物品は、補助スリット４３が設けられていてもよい。後側域Ｓ２の吸収コアには、補助スリット４３によって幅方向に延びる変形基点が形成される。後側域Ｓ２の吸収コア３１は、補助スリットを基点に変形でき、身体の前後方向沿った断面における身体の丸みに沿って吸収コア３１を配置し易くなる。
【００７０】
排泄口当接域Ｓ１は、吸収コア３１の外側縁３１Ｅよりも幅方向の内側に位置する中高部３３を有していてもよい。排泄口当接域Ｓ１に中高部３３が設けられていることにより、排泄口当接域Ｓ１の幅方向の中央（吸収コア３１の外側縁３１Ｅよりも幅方向の内側）において、着用者に吸収コアが密着し易くなる。よって、図４（ａ）に示す断面図に示すように、排泄口当接域Ｓ１における密着性を高めることができる。その結果、後側域Ｓ２における吸収性物品のフィット性と、排泄口当接域Ｓ１における吸収性物品のフィット性と、を実現できる。
【００７１】
（３）その他の実施形態
本実施の形態の吸収性物品は、下着に装着される夜用の生理用ナプキンであるが、他の実施形態として、おむつに装着される尿取パッド等の吸収パッドであってもよい。
【００７２】
また、変形例に係る吸収性物品１は、幅スリット４１の外側縁４１Ｅが吸収コア３１の外側縁３１Ｅよりも幅方向の内側に位置していてもよい。幅スリットの幅方向の外側に吸収材料が配置されるため、横漏れを防止できる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
１        ：吸収性物品
３        ：ウイング
４        ：ヒップフラップ
１０      ：肌面シート
１１      ：表面シート
１２      ：サイドシート
２０      ：非肌面シート
３０      ：吸収体
３１      ：吸収コア
３１Ｅ    ：排泄口当接域の吸収コアの外側縁
３１１      ：第１領域
３１２      ：第２領域
３１３      ：第３領域
３２      ：コアラップ
４１      ：幅スリット（伝播抑制部）
４２      ：前後スリット（曲部）
４３      ：補助スリット
６０      ：粘着領域
６１      ：第１本体粘着領域
６２      ：第２本体粘着領域
６３      ：ウイング粘着領域
６４      ：ヒップフラップ粘着領域
Ｌ        ：前後方向
Ｔ        ：厚み方向
Ｔ１      ：肌対向面側
Ｔ２      ：非肌対向面側
Ｗ        ：幅方向
Ｓ１      ：排泄口当接域
Ｓ２      ：後側域
Ｓ３      ：前側域
【図１】
0006456136.tif 000002
【図２】
0006456136.tif 000003
【図３】
0006456136.tif 000004
【図４】
0006456136.tif 000005